(57)【要約】【課題】移動手すりを容易に取り外すことができる乗客コンベアの欄干装置の提供。【解決手段】本発明に係るエスカレータの欄干装置は、無端状に形成されて移動する移動手すり１を保持する欄干パネル５と、無端状に配設されて移動するステップＳと、欄干パネル５とステップＳとの間に配置されるスカートガード３と、スカートガード３の長手方向に沿って配設され、外殻を形成するケース１０Ａ、及びケース１０Ａ内に収納される発光体１０Ｂを有し、ステップＳを照らす照明装置１０とを備え、照明装置１０のケース１０Ａの底部と、ステップＳの上面部との間隔Ｈを、移動手すり１の厚さ寸法ｈよりも大きく設定した構成にしてある。また、スカートガード３と照明装置１０のケース１０Ａとを互いに別体に形成し、スカートガード３をデッキベース７に締結する第１ねじ８と、照明装置１０のケース１０Ａをデッキベース７に締結する第２ねじ１３とを備えている。【選択図】図２
2014043305.tif 000002
【特許請求の範囲】
【請求項１】
無端状に形成されて移動する移動手すりを保持する欄干パネルと、無端状に配設されて移動するステップと、前記欄干パネルと前記ステップとの間に配置されるスカートガードと、前記スカートガードの長手方向に沿って配設され、外殻を形成するケース、及び前記ケース内に収納される発光体を有し、前記ステップを照らす照明装置とを備えた乗客コンベアの欄干装置において、
前記照明装置の前記ケースの底部と、前記ステップの上面部との間隔を、前記移動手すりの厚さ寸法よりも大きく設定したことを特徴とする乗客コンベアの欄干装置。
【請求項２】
請求項１に記載の乗客コンベアの欄干装置において、
前記スカートガードと前記照明装置の前記ケースとを互いに別体に形成し、
前記スカートガードをデッキベースに締結する第１締結具と、前記照明装置の前記ケースを前記デッキベースに締結する第２締結具とを備えたことを特徴とする乗客コンベアの欄干装置。
【請求項３】
請求項１または２に記載の乗客コンベアの欄干装置において、
前記スカートガードは、当該スカートガードの長手方向に沿って複数形成される窓穴を有する金属板から成り、
前記スカートガードの前記窓穴部分に、前記照明装置の前記発光体の光を透過させる樹脂体を備えたことを特徴とする乗客コンベアの欄干装置。
【発明の詳細な説明】
【技術分野】
【０００１】
本発明は、乗客を運ぶステップを照らす照明装置を備えた乗客コンベアの欄干装置に関する。
【背景技術】
【０００２】
図６は従来の乗客コンベアの欄干装置の構成を示す断面図である。
【０００３】
同図６に示すように、乗客コンベアの欄干装置は、無端状に配設されて移動するステップＳの側方に微小の隙間をあけて立設される。この欄干装置は、建屋のトラスＦ１に固定され、上端部分で移動手すり１を保持する欄干パネル５と、この欄干パネル５の下方部分、及びトラス１等を覆う外側デッキカバー６とを備えている。また、トラスＦ２に固定されたデッキベース７と、このデッキベース７の立上り部に第１締結具すなわち第１ねじ８によって固定された内側デッキカバー２及びスカートガード２１と、トラスＦ２の下側に配設され、デッキベース７の底部に第２締結具すなわち第２ねじ１３によって固定された照明装置２３とを備えている。内側デッキカバー２によって、欄干パネル５の下方部分、デッキベース７、及びトラスＦ２等が覆われている。
【０００４】
スカートガード２１は、第１ねじ８によってデッキベース７に固定される光透過性の樹脂体部２１Ａと、この樹脂体部２１Ａの下側に配置される金属体部２１Ｂとから成っている。
【０００５】
照明装置２３は、外殻を形成するケース２３Ａと、このケース２３Ａ内に収納される発光体２３Ｂとを有している。ケース２３Ａ内には、ステップＳ側からスカートガード２１に与えられる外力に対してスカートガード２１の樹脂体部２１Ａと金属体部２１Ｂとの境界部分が撓まないように補強する補強板２５を配置してある。この補強板２５に、スカートガード２１の樹脂体部２１Ａの下端部分と金属体部２１Ｂの上端部分とが、接着により、あるいはねじを介して取り付けられている。トラスＦ２の下側には、反転した移動手すり１を案内する案内ガイド１２が設けられている。
【０００６】
照明装置２３のケース２３Ａ内に補強板２５を設けることから、ケース２３Ａの高さ寸法は比較的大きく設定される。これに伴って、ケース２３Ａの底部とステップＳの上面部との間隔Ｈ１は、移動手すり１の厚さ寸法ｈ１よりも小さな寸法となっている。この種の従来技術は、例えば特許文献１に開示されている。
【先行技術文献】
【特許文献】
【０００７】
【特許文献１】特開２０１１−６３３８６号公報
【発明の概要】
【発明が解決しようとする課題】
【０００８】
図６に示す従来技術にあって、移動手すり１を新しいものに交換する際などには、移動手すり１を案内ガイド１２から取り外す作業が行われる。この作業時には、内側デッキカバー２をデッキベース７から取り外すことが行われる他、スカートガード２１の樹脂体部２１Ａと金属体部２１Ｂとを互いに解体し、また、照明装置２３をデッキベース７から取り外すことが行われる。この際に、スカートガード２１とステップＳの側端部との隙間が微小であることから、スカートガード２１の金属体部２１Ｂに面しているステップＳのほとんどの部材を取り外すことも必要になる。
【０００９】
図６に示す従来技術にあっては以上のように、ステップＳを含む多くの機材及び部品を取り外す必要があることから、移動手すり１の取り外しが煩雑で時間がかかり、作業能率の向上を見込めなかった。これに伴って、乗客コンベアの運転不能時間が長時間となり、乗客コンベアを使用する乗客に対するサービス性が低下しやすい問題もあった。
【００１０】
本発明は、前述した従来技術における実情からなされたもので、その目的は、移動手すりを容易に取り外すことができる乗客コンベアの欄干装置を提供することにある。
【課題を解決するための手段】
【００１１】
前記目的を達成するために、本発明に係る乗客コンベアの欄干装置は、無端状に形成されて移動する移動手すりを保持する欄干パネルと、無端状に配設されて移動するステップと、前記欄干パネルと前記ステップとの間に配置されるスカートガードと、前記スカートガードの長手方向に沿って配設され、外殻を形成するケース、及び前記ケース内に収納される発光体を有し、前記ステップを照らす照明装置とを備えた乗客コンベアの欄干装置において、前記照明装置の前記ケースの底部と、前記ステップの上面部との間隔を、前記移動手すりの厚さ寸法よりも大きく設定したことを特徴としている。
【発明の効果】
【００１２】
本発明は、照明装置のケースの底部と、ステップの上面部との間に形成される空間部を利用して移動手すりを容易に取り外すことができる。これにより、従来に比べて移動手すりの取り外し作業の能率を向上させることができる。また、移動手すりの取り外しに伴う乗客コンベアの運転不能時間を従来よりも短時間とすることができ、乗客コンベアを使用する乗客に対するサービス性を向上させることができる。
【図面の簡単な説明】
【００１３】
【図１】本発明に係る欄干装置が備えられる乗客コンベアの一例として挙げたエスカレータの側面図である。
【図２】図１のＡ−Ａ断面拡大図である。
【図３】本実施形態に備えられるスカートガード部分を示す正面図である。
【図４】図３のＣ−Ｃ断面図である。
【図５】本実施形態を備えたエスカレータにおいて、移動手すりを外す際の動作を説明する図である。
【図６】従来の乗客コンベアの欄干装置の構成を示す断面図である。
【発明を実施するための形態】
【００１４】
以下、本発明に係る乗客コンベアの欄干装置の実施の形態を図に基づいて説明する。
【００１５】
図１は本発明に係る欄干装置が備えられる乗客コンベアの一例として挙げたエスカレータの側面図、図２は図１のＡ−Ａ断面拡大図、図３は本実施形態に備えられるスカートガード部分を示す正面図、図４は図３のＣ−Ｃ断面図である。
【００１６】
本実施形態に係る欄干装置が備えられる乗客コンベアは、例えばエスカレータから成っている。このエスカレータは、図１，２に示すように、無端状に配設されて移動し、乗客を運ぶステップＳを備えている。
【００１７】
本実施形態に係る欄干装置は、ステップＳの側方に微小の隙間Ｚをあけて立設される。この欄干装置は、前述したとおり、建屋のトラスＦ１に固定され、無端状に形成されて移動する移動手すり１を保持する欄干パネル５と、この欄干パネル５の下方部分、及びトラス１等を覆う外側デッキカバー６とを備えている。欄干パネル５の上端部には、図示しないが案内ガイドを設けてあり、この案内ガイドに移動手摺り１が係着されて案内されるようになっている。
【００１８】
また、トラスＦ２に固定された剛性を有するデッキベース７と、このデッキベース７の立上がり部に第１締結具すなわち第１ねじ８によって固定された内側デッキカバー２及びスカートガード３と、トラスＦ２の下側に配設され、デッキベース７の底部に第２締結具すなわち第２ねじ１３によって固定された照明装置１０とを備えている。内側デッキカバー２によって、欄干パネル５の下方部分、デッキベース７、及びトラスＦ２等が覆われている。移動手すり１の帰り側は、内側デッキカバー２や外側デッキカバー６、及びスカートガード３の内側に内蔵された図示しない移動手すり駆動装置や、長手方向に所定の間隔で設けられた案内ガイド１２により、横ぶれ等の蛇行を防止するようにして回動するように保持されている。
【００１９】
また本実施形態は、スカートガード３の長手方向に沿って配設され、外殻を形成するケース１０Ａ、及びケース１０Ａ内に収納され、ＬＥＤ、蛍光灯等から成る発行体１０Ｂを有し、ステップＳを照らす照明装置１０を備えている。この照明装置１０は、例えばスカートガード３の長手方向に沿って連続的に延設させてある。ケース１０Ａは、図２に示すように、側面視の断面形状がコ字形状となるように設けてある。スカートガード３と照明装置１０のケース１０Ａとは、互いに別体に形成してある。すなわち、互いに分離させてデッキベース７に取付けてある。スカートガード３は、全体が剛性を有するステンレス材や鋼板塗装仕上げ材等の金属板からなっている。したがって、前述した図６に示した補強板を本実施形態では要することがない。これに伴って、ケース１０Ａの高さ寸法を十分に低く設定することができる。
【００２０】
図１，３に示すように、スカートガード３には、その長手方向に沿って複数の窓穴９を形成してある。このスカートガード３の厚さ寸法は、前述した図２に示すステップＳの側方の隙間Ｚの幅寸法よりも小さく設定してある。スカートガード３の窓穴９部分の照明装置１０側には、図３，４に示すように、照明装置１０の発光体１０Ｂの光を透過させるアクリル系の樹脂体、例えば樹脂板４を配置してある。この樹脂板４は、スカートガード３に貼着させて、あるいはねじ止めにより取り付けてある。
【００２１】
また本実施形態に係る欄干装置は、図２に示すように、照明装置１０のケース１０Ａの底部と、ステップＳの上面部との間隔Ｈを、移動手すり１の厚さ寸法ｈよりも大きく設定してある。
【００２２】
すなわち本実施形態は、図６に示した補強板２５を除くなどして照明装置１０のケース１０Ａ内に収納する部品数を最小限としたことにより、前述したように照明装置１０のケース１０Ａの高さ寸法を低くすることができる。これにより、ケース１０Ａの底部とステップＳの上面部との間隔Ｈを、移動手すり１の厚さ寸法ｈよりも大きく設定することが可能となっている。
【００２３】
図５は本実施形態を備えたエスカレータにおいて、移動手すりを外す際の動作を説明する図である。
【００２４】
前述のように構成した本実施形態に係る欄干装置において、移動手すり１を取り外す場合には、図５に示すように、第１ねじ８を緩めて外し、これにより内側デッキカバー２を取り外し、また図２に示す隙間Ｚを利用して、樹脂板４が一体化されたスカートガード３を取り外すことが行われる。この状態において、案内ガイド１２に係着されていた帰り側の移動手すり１の部分を取り外して、図５の矢印Ｘで示すように、照明装置１０のケース１０Ａの底部とステップＳの上面部との間から移動手すり１を取り出すことが行われる。また、欄干パネル５の上端部の図示しない案内ガイドに係着されていた移動手すり１の部分も、案内ガイドから取り外すことが行われる。
【００２５】
なお、移動手すり１を組み込む際には、前述と逆の手順により移動手すり１の組み込みが行われる。
【００２６】
このように構成した本実施形態に係る欄干装置にあっては、内側デッキカバー２と、樹脂板４が一体化されたスカートガード３を取り外すだけで、照明装置１０及びステップＳの取り外しを要することなく、照明装置１０のケース１０Ａの底部と、ステップＳの上面部との間に形成される空間部を利用して、案内ガイド１２に係着されていた移動手すり１の部分を容易に取り外すことができる。これにより、移動手すり１の取り外し作業の能率を向上させることができる。また、移動手すり１の取り外しに伴うエスカレータの運転不能時間を短時間とすることができ、エスカレータを使用する乗客に対するサービス性を向上させることができる。
【００２７】
本実施形態は、照明装置１０を備えた既設の乗客コンベアの移動手すり１を、新たな移動手すり１に交換するリニューアルに好適であり、実用性に富む。また、本実施形態は、照明装置１０を備えていない既設の乗客コンベアに照明装置を設ける改造に際しても好適である。
【００２８】
なお、前述した実施形態では、照明装置１０をスカートガード３の長手方向に沿って連続的に設けてあるが、スカートガード３に形成する窓穴９の数を少なく設定する場合には、その窓穴９に対応させて照明装置１０を断続的に設ける構成とすればよい。
【符号の説明】
【００２９】
１    移動手すり
３    スカートガード
４    樹脂板（樹脂体）
５    欄干パネル
７    デッキベース
８    第１ねじ（第１締結具）
９    窓穴
１０    照明装置
１０Ａ  ケース
１０Ｂ  発光体
１３    第２ねじ（第２締結具）
Ｓ    ステップ
Ｈ    間隔
ｈ    厚さ寸法
【図１】
2014043305.tif 000003
【図２】
2014043305.tif 000004
【図３】
2014043305.tif 000005
【図４】
2014043305.tif 000006
【図５】
2014043305.tif 000007
【図６】
2014043305.tif 000008